(57)【特許請求の範囲】
【請求項１】
大気中に飛来する物質を付着させたフィルタの画像情報を取得する取得部と、
前記取得した画像情報から、前記フィルタに付着した物質の成分及び量に応じて変化するフィルタの色を示す色情報を抽出する色抽出部と、
前記抽出した色情報に基づき、大気中における黄砂及び汚染物質を区別してそれらの飛来状態を判定する判定部と、
前記判定部による判定結果に基づき黄砂及び汚染物質を区別してそれらの飛来状態を示す情報を表示する表示部と
を備えた
大気中の物質の飛来状態判定装置。
【請求項２】
前記判定部は、抽出した色情報から所定の判定式に基づき算出した値に基づいて、判定を行った日が、大気中の黄砂に関する成分が他の飛来物質の成分に対して比較的多いと考えられる黄砂日であるか否かを判定し、
前記表示部は、前記黄砂日であることを示す情報を表示する、
請求項１記載の大気中の物質の飛来状態判定装置。
【請求項３】
前記判定部は、抽出した色情報から所定の判定式に基づき算出した値に基づいて、判定を行った日が、大気中の汚染物質に関する成分が他の飛来物質の成分に対して比較的多いと考えられる汚染日に該当するか否かを判定し、
前記表示部は、前記汚染日であることを示す情報を表示する、
請求項１または２に記載の大気中の物質の飛来状態判定装置。
【請求項４】
前記色抽出部は、前記フィルタの色情報を、当該フィルタと同じ条件で撮影された所定の基準色を含むカラーチャートの色情報に基づき補正する、請求項１ないし３のいずれか１つに記載の大気中の物質の飛来状態判定装置。
【請求項５】
前記取得部は、前記フィルタの画像を撮影し、前記画像情報を生成する撮像部を含む、請求項１ないし４のいずれか１つに記載の大気中の物質の飛来状態判定装置。
【請求項６】
前記判定部は、所定の判定式に基づき、大気中における物質の飛来状態を判定し、
前記所定の判定式は、前記画像情報から抽出した輝度値、C（シアン）値、Y（イエロー）値、S（彩度）値のパラメータを含む、請求項１ないし４のいずれか１つに記載の大気中の物質の飛来状態判定装置。
【請求項７】
大気の取り込み口と、
前記取り込み口から大気をケース内に取り込むための空気流を生成するファンと、
前記ケース内に取り込んだ大気に含まれる物質を付着させるフィルタを保持する保持部と、をさらに備え、
前記取得部は、前記保持部に保持されたフィルタの表面の画像を撮影し、撮影した画像から前記画像情報を生成する、請求項１ないし４のいずれか１つに記載の大気中物質の飛来状態判定装置。
【請求項８】
請求項１ないし７のいずれか１つに記載の飛来状態判定装置に使用される、大気中の飛来物質の採取用フィルタであって、
複数の分割された領域を有し、前記複数の分割領域の少なくとも一部の領域において、特定の物質のみが反応する薬剤が塗布された
飛来物質採取用フィルタ。
【請求項９】
請求項１ないし７のいずれか１つに記載の飛来状態判定装置に使用される、大気中の飛来物質の採取用フィルタであって、
所定の基準色を含むカラーチャートを備えた
飛来物質採取用フィルタ。
【請求項１０】
コンピュータ読み取り可能な、大気中の物質の飛来状態を判定するプログラムであって、コンピュータに、
大気中に飛来する物質を付着させたフィルタの画像情報を取得するステップと、
前記取得した画像情報から、前記フィルタに付着した物質の成分及び量に応じて変化するフィルタの色を示す色情報を抽出するステップと、
前記抽出した色情報に基づき、大気中における黄砂及び汚染物質を区別してそれらの飛来状態を判定するステップと、
前記判定結果に基づき黄砂及び汚染物質を区別してそれらの飛来状態を示す情報を表示手段に表示させるステップと
を実行させる、
プログラム。
【請求項１１】
前記判定するステップは、抽出した色情報から所定の判定式に基づき算出した値に基づいて、判定を行った日が、大気中の黄砂に関する成分が他の飛来物質の成分に対して比較的多いと考えられる黄砂日であるか否かを判定し、
前記表示させるステップは、前記黄砂日であることを示す情報を前記表示手段に表示させる、
請求項１０記載のプログラム。
【請求項１２】
前記判定するステップは、抽出した色情報から所定の判定式に基づき算出した値に基づいて、判定を行った日が、大気中の汚染物質に関する成分が他の飛来物質の成分に対して比較的多いと考えられる汚染日に該当するか否かを判定し、
前記表示させるステップは、前記汚染日であることを示す情報を前記表示手段に表示させる、
請求項１０または１１に記載のプログラム。
【請求項１３】
前記色情報を抽出するステップは、前記フィルタの色情報を、当該フィルタと同じ条件で撮影された所定の基準色を含むカラーチャートの色情報に基づき補正する、
請求項１０ないし１２のいずれか１つに記載のプログラム。
【発明の詳細な説明】
【技術分野】
【０００１】
本発明は、大気中に含まれる黄砂や汚染物質等の飛来状況を判定する装置に関する。
【背景技術】
【０００２】
東アジア大陸の乾燥・半乾燥地帯から巻き上げられた土壌粒子が偏西風に乗って風下に運ばれる気象現象として黄砂がある。黄砂は日本では、春に多く観察される。また、近年、東アジア地域の経済成長に伴う都市・工業化などによって大気汚染物質の放出量が増加し、これらの大気汚染物質が単独でまたは黄砂とともに日本へ輸送されていることが観測されている。
【先行技術文献】
【特許文献】
【０００３】
【特許文献１】特開２０１２−２３３８２２号公報
【特許文献２】特開２００４−０５３３５７号公報
【発明の概要】
【発明が解決しようとする課題】
【０００４】
近年の研究により、大気中に含まれる黄砂や汚染物質は健康被害を及ぼすことが知られている。すなわち、大気中に含まれる黄砂や汚染物質が多い日には、越境汚染物質由来で呼吸器症状を引き起こしたり、黄砂成分による喘息を悪化させたり、皮膚症状を訴える者が増加することが報告されている。また、花粉症既往者は、黄砂日には目や鼻の症状が悪化することが知られている。【０００５】
大気中に含まれる黄砂等の飛来物質の成分は飛来経路により異なり、また、大気中に含まれる成分の種類により人体に与える影響も異なる。よって、大気中の飛来物質の飛来状況（種類や量）が把握できれば、例えば、マスクの装着、窓閉め、空気清浄機の活用、外出の回避等の手段をとることができ、飛来物質に由来する症状の発症や悪化を防止することができる。【０００６】
従来、大気中の黄砂等を測定する装置として特許文献１、２に開示のものがある。【０００７】
本発明は、上記課題を解決すべくなされたものであり、その目的とするところは、大気中に含まれる黄砂や汚染物質等の飛来状態を判定できる判定装置を提供することにある。
【課題を解決するための手段】
【０００８】
本発明に係る大気中の物質の飛来状態判定装置は、大気中に飛来する物質を付着させたフィルタの画像情報を取得する取得部と、取得した画像情報から色情報を抽出する色抽出部と、抽出した色情報に基づき、大気中における物質の飛来状態を判定する判定部と、判定部による判定結果に基づき飛来状態を示す情報を表示する表示部とを備える。【０００９】
飛来状態判定装置において、判定部は、抽出した色情報から所定の判定式に基づき算出した値に基づいて、判定を行った日が、大気中の黄砂に関する成分が他の飛来物質の成分に対して比較的多いと考えられる黄砂日であるか否かを判定してもよい。その際、表示部は、黄砂日であることを示す情報を表示してもよい。【００１０】
または、判定部は、抽出した色情報から所定の判定式に基づき算出した値に基づいて、大気中において黄砂及び／または汚染物質が飛来しているか否かを判定してもよい。その際、表示部は、黄砂及び／または汚染物質が飛来していることを示す情報を表示してもよい。【００１１】
上記の大気状態判定装置に使用される本発明に係るフィルタは、大気中の飛来物質の採取用フィルタである。本発明に係る第１のフィルタは、複数の分割された領域を有し、複数の分割領域の少なくとも一部の領域において、特定の物質のみが反応する薬剤が塗布されている。本発明に係る第２のフィルタは、所定の基準色を含むカラーチャートを備える。【００１２】
本発明に係るプログラムは、コンピュータ読み取り可能な、大気中の物質の飛来状態を判定するプログラムである。そのプログラムは、コンピュータに、大気中に飛来する物質を付着させたフィルタの画像情報を取得するステップと、取得した画像情報から色情報を抽出するステップと、抽出した色情報に基づき、大気中における物質の飛来状態を判定するステップと、判定結果に基づき飛来状態を示す情報を表示手段に表示させるステップとを実行させる。
【発明の効果】
【００１３】
本発明によれば、大気中を飛来する黄砂等を付着したフィルタの色に基づいて、黄砂等の飛来状況を判定し、判定結果に基づき飛来状態を示す情報を表示できる。これにより、使用者は、大気中における黄砂等の飛来状況を容易に認識でき、飛来物質に由来する症状の発症や悪化を防止するための適切な対応をとることができる。
【図面の簡単な説明】
【００１４】
【図１】実施形態１、２における大気中の飛来物質の採取装置の構成を示す図
【図２】（ａ）汚染物質が付着していないフィルタの拡大図、（ｂ）汚染物質が付着したフィルタの拡大図
【図３】黄砂日／汚染日／きれいな日における、フィルタの画像情報から抽出した色情報（輝度Luminance）の度数分布を示した図
【図４】黄砂日／汚染日／きれいな日における、フィルタの画像情報から抽出した色情報（Ｙ値）の度数分布を示した図
【図５】黄砂日／汚染日／きれいな日における、フィルタの画像情報から抽出した色情報（Ｃ値）の度数分布を示した図
【図６】黄砂日／汚染日／きれいな日における、フィルタの画像情報から抽出した色情報（Ｒ値）の度数分布を示した図
【図７】黄砂日／汚染日／きれいな日における、フィルタの画像情報から抽出した色情報（Ｓ値（彩度））の度数分布を示した図
【図８】微量飛来日／黄砂日／汚染日における、APC値の度数分布を示した図
【図９】APC値に基づく測定日の分類を説明した図
【図１０】実施形態１、２における大気中の物質の飛来状態を判定する飛来状態判定装置の構成を示す図
【図１１】カラーチャートとともに撮影されるフィルタを説明した図
【図１２】実施形態１における飛来状態判定装置による黄砂日判定の動作を示すフローチャート
【図１３】実施形態１における表示部に表示される判定結果の表示例を示した図
【図１４】実施形態２における飛来状態判定装置による黄砂等の飛来判定の動作を示すフローチャート
【図１５】実施形態２における表示部に表示される判定結果の表示例を示した図
【図１６】その他の実施形態における、飛来状態判定装置による黄砂日判定の別の動作を示すフローチャート
【図１７】実施形態３における飛来状態判定装置の構成を示す図
【図１８】その他の実施形態における、飛来物質の採取用のフィルタの種々の変形例を説明した図
【発明を実施するための形態】
【００１５】
（本発明に至った経緯）
本発明の発明者は、白色のフィルタを用いて所定時間（２４時間）毎に大気中に含まれる飛来物質を測定（採取）したところ、測定後のフィルタの色が、飛来物質の種類に応じて異なることを発見した。そして、この知見に基づき、発明者は、フィルタの色を分析することで、大気中に含まれる黄砂や汚染物質等の飛来物質の飛来状況（飛来した粒子の成分の種類や量）を判定できると考えた。
【００１６】
図１は、飛来物質（黄砂、汚染物質）の測定（採取）に用いた採取装置の構成の概略を示した図である。採取装置５０は内部にエアーポンプ５１を備え、このエアーポンプ５１で気流を発生させ、装置外部から内部へ大気を取り込めるようになっている。その際、取り込まれた外気はフィルタ５２を通過する。これにより、大気中に含まれる飛来物質をフィルタ５２により採取できる。
【００１７】
フィルタ５２は白色をした紙フィルタである。図２（ａ）は採取開始前のフィルタ５２の拡大図であり、図２（ｂ）は採取終了後のフィルタ５２の拡大図である。図２（ｂ）より、フィルタ５２の繊維に種々の飛来物質（汚染物質、黄砂）が付着している様子がわかる。
【００１８】
本発明者は、採取したフィルタを画像解析してフィルタの色成分を抽出し、抽出した各色成分の度合いと、飛来状態との関連性を調査した。
【００１９】
下記表１は、本発明者が大気中に含まれる飛来物質成分の主成分分析を行った結果を示したものである。ここでは、飛来物質の代表成分濃度の分析（ICP-MS法）を行った後に、統計的にその濃度数値を用いて主成分分析を行った。表１において各数値は各成分の係数（割合）を示す。例えば、土壌成分＝0.959×Fe＋0.94×Ca＋0.93×Mn＋0.895×Al・・・と表される。係数が高い成分（Fe, Ca, Mn, Al等）ほど、土壌成分の主成分に貢献していることがわかる。本発明者は、表１の結果を考察し、大気中に含まれる飛来物質の主成分の傾向を、Fe, Ca, Mn, Al, Cr, Ni, Dust（塵埃）のような土壌成分が比較的多く含まれるタイプ１と、Spherical（球状粒子）, Pb, Cd, Zn, SO2のような汚染物質の成分が比較的多く含まれるタイプ２と、それ以外のタイプ３の３種類に分類した。
【表１】
0005791063.tif 000002
【００２０】
そして、本発明者は、タイプ１のような主成分の傾向を示す日を「黄砂日」とし、タイプ２のような主成分の傾向を示す日を「汚染日」と分類した。すなわち、「黄砂日」とは、黄砂粒子が他の飛来物質の成分に対して比較的多く飛来していると考えられる日である。例えば、大気の視程（水平方向の見通し）が所定距離（例えば、１０ｋｍ）以下のときに黄砂日と判定される。「汚染日」とは、汚染由来成分が他の飛来物質の成分に対して比較的多く飛来していると考えられる日である。「黄砂日」や「汚染日」以外の、飛来した粒子が比較的少ない日は「きれいな日」とする。
【００２１】
本発明者は、2007年〜2011年に採取した２７９個のフィルタの検体を、色基準を与えるカラーチャートとともに撮影を行い、CMYK、RGB、H（色相）S（彩度）B（明度）値の色情報を正確に記録した。さらに本発明者は、RGB値から下記式を用いて輝度luminanceも求めた。
輝度luminance = ( 0.298912 × R + 0.586611 × G + 0.114478 × B )・・・（１）
【００２２】
図３〜図７は、記録した色情報及び算出した輝度に基づき、黄砂日／汚染日／きれいな日における色成分（輝度、Y,C,R,S）についての度数分布を示した図である。
【００２３】
図３〜７を参照し、黄砂や汚染物質が飛んで来ている日において、本発明者は下記の知見を得た。
１）黄砂や汚染物質が飛んで来ている日における各値の傾向
・図３を参照し、黄砂日および汚染日には、輝度luminanceは約200以下になっている。
・図４を参照し、黄砂日および汚染日には、Y値が約20以上になる。
・図５を参照し、C値は、汚染日の方が黄砂日より高い値を示す傾向がある。
・図６を参照し、R値は、黄砂日の方が汚染日より高い値を示す傾向にある。
・図７を参照し、S値は、黄砂日には高く、汚染日には低くなる傾向にある。
【００２４】
なお、大気中において黄砂等の飛来量が多いと、フィルタ５２に多くの黄砂等が付着することから、輝度（luminance）の値は低くなる。よって、輝度（luminance）が所定値（例えば200）以下であるときは、所定量以上の黄砂等が飛来していると考えられる。
【００２５】
２）黄砂日と汚染日の区別
本発明者は、上述した色情報及び黄砂日／汚染日の分類に基づき、黄砂日と汚染日の区別の判定のために、判別分析の手法を用いて判別関数を求めた。その結果、下記の判定式（黄砂判定式）が得られた。下記の判定式は、色情報に基づく大気中の飛来物質の飛来状態の指標としてAPC(Air Pollution Color)値を求める。
APC = 0.871 × C - 0.551 × M＋0.463×Y - 0.289×H＋0.175×S
＋ 0.325 × Bright＋0.265 × Luminance - 90.656                  …（２）
【００２６】
図８に、微量飛来日／黄砂日／汚染日におけるAPC値の度数分布を示す。図８から、黄砂日のときは、APC値は正の領域に分布し、汚染日のときは、APC値は負の領域に分布していることが分かる。このことから、APC値に基づき黄砂日と汚染日を区別できることが分かる。
【００２７】
図９は、APC値に基づく分類を示した図である。図９において、横軸はAPC値であり、縦軸は、そのAPC値を有する観測日の度数を示す。APC値が正の値の時は黄砂日と判定し（APC値の絶対値が大きいとき明らかな黄砂日）、APC値が負の値の時は、汚染日（APC値の絶対値が大きいとき明らかな汚染日）と判定している。APC値が０付近となる観測日では、黄砂日または汚染日よりは、飛来物質の量は少ないが、自覚症状を上昇させるには十分な量の飛来物質が観測される。よって、APC値が０付近となる場合でも、黄砂日または汚染日のいずれかであると判定することは、使用者に、症状の悪化を防止する対策の要否の判断基準を提供することになり有用である。
【００２８】
なお、本発明者は、フィルタによる飛来物質の採取を鳥取にて行った。鳥取は工業地帯がほとんどないため、フィルタの高濃度汚染は越境由来の黄砂、汚染物質と見なすことが可能である（図９におけるグループ（１）、（４））。図９におけるグループ（２）、（３）は、地元の土壌の舞い上がり、地元の車の排気ガス等の汚染が考えられるが、このような日でも自覚症状の悪化は観察される。
【００２９】
以上の知見に基づき、本発明者は、大気中の飛来物質を採取したフィルタの色に基づき、大気中における黄砂や汚染物質等の飛来物質の飛来状態を判定する方法を考案した。
【００３０】
（実施の形態１）
以下、添付の図面を参照して、本発明の一実施形態である大気中の物質の飛来状態判定装置（以下「飛来状態判定装置」という）を説明する。
【００３１】
１．飛来状態判定装置の構成
図１０は、本発明に係る大気状態判定装置の一実施形態の構成を示した図である。本実施形態の飛来状態判定装置１は、大気中の飛来物質を採取したフィルタの色に基づき、判定した日が黄砂日であるか汚染日であるかを判別する装置である。
【００３２】
飛来状態判定装置１は、その全体動作を制御するコントローラ１１と、画面表示を行う表示部１７と、ユーザが操作を行う操作部１９と、データやプログラムを記憶するデータ格納部２１とを備える。
【００３３】
コントローラ１１はＣＰＵやＭＰＵで構成されることができ、所定の制御プログラムを実行することにより、後述する汚染日／黄砂日の判定機能を実現する。コントローラ１１はソフトウェアと協働して所定の機能を実現してもよいし、ハードウェアのみで所定の機能を実現してもよい。
【００３４】
表示部１７は、液晶ディスプレイ（ＬＣＤ）や有機ＥＬディスプレイ等で構成される。操作部１９は、キーボード、マウス、タッチパネル等で構成される。
【００３５】
データ格納部２１は画像情報や制御プログラムを格納する記録媒体であり、ハードディスク（ＨＤＤ）、半導体メモリ、光ディスク等の記録媒体で構成することができる。データ格納部２１は、コントローラ１１で実行される制御プログラム、制御に必要なパラメータ、画像情報等、種々の情報を格納する。
【００３６】
さらに、飛来状態判定装置１は、外部機器やインターネット等のネットワークと接続するためのインタフェース２５ａ、２５ｂを含む。インタフェース２５ａ、２５ｂは例えば、ＵＳＢ(Universal Serial Bus)、ＨＤＭＩ(High Definition Multimedia Interface)、ＬＡＮ、ＩＥＥＥ１３９４等のインタフェース規格、ＰＣＩやＩＳＡ等のバスインタフェース、等に準拠した通信を行う。飛来状態判定装置１はさらに、３Ｇ回線やＬＴＥ(Long Term Evolution)規格にしたがった通信インタフェースを有してもよく、それらの通信インタフェースを介して、インターネット等のネットワークに接続してもよい。
【００３７】
飛来状態判定装置１は、画像を撮影する撮像装置３１と接続される。撮像装置３１は、レンズを含む光学系、CCD等の画像センサ及び制御回路を含む。撮像装置３１は、光学系を介して入射した被写体像を画像センサにより撮影して画像情報を生成する。撮像装置３１は、生成した画像情報を内部の記録媒体（HDDやメモリカード等）に保持してもよいし、外部に出力してもよい。撮像装置３１の全体動作は制御回路により制御される。撮像装置３１により撮像された画像情報は飛来状態判定装置１に送信される。
【００３８】
２．飛来状態判定装置の動作
飛来状態判定装置１の動作を説明する。飛来状態判定装置１は、大気中の飛来物質が付着したフィルタ５２を用いて、黄砂日／汚染日の判定を行う。最初に、フィルタ５２による大気中の飛来物質の採取について説明する。
【００３９】
フィルタ５２による大気中の飛来物質の採取は、図１に示す採取装置５０を用いて行われる。具体的には、採取装置５０内にフィルタ５２を設置し、エアーポンプ５１を作動させる。これにより、採取装置５０内に気流を発生させて、装置外部から大気を取り込み、取り込んだ大気をフィルタ５２を通過させる。これにより大気中に含まれる飛来物質がフィルタ５２に付着する。この付着した飛来物質の成分や量に応じて、フィルタ５２の色が変化する。本実施形態では、フィルタ５２を所定時間毎に交換する。すなわち、所定時間毎に飛来物質を採取（測定）している。所定時間は、飛来物質の採取が可能な適切な一定の時間（例えば、１時間〜２４時間）に設定される。
【００４０】
以上のようにして飛来物質を付着させた（採取した）フィルタ５２が得られると、次に、そのフィルタ５２を撮像装置３１で撮像し、フィルタ５２の画像情報を得る。その際、撮像装置３１において、同じ撮像条件（絞り、シャッタスピード、ＩＳＯ感度、光源等）でフィルタ５２の画像を撮像することが好ましい。また、フィルタ５２は、図１１に示すように、基準となる色情報を提供するカラーチャート２０とともに撮像する。カラーチャート２０は基準となる複数の色を含んでいる。このカラーチャート２０の色情報を用いることにより、フィルタ５２の色の補正が可能となる。そして、撮像装置３１で得られた画像情報を用いて、飛来状態判定装置１により黄砂日の判定動作が実行される。
【００４１】
図１２のフローチャートを用いて飛来状態判定装置１の動作を説明する。飛来状態判定装置１のコントローラ１１は、まず、撮像装置３１から、カラーチャート２０とフィルタ５２を含む画像の画像情報を取得する（Ｓ１１）。
【００４２】
コントローラ１１は、取得した画像情報の色を分析し、フィルタ５２の画像に含まれる色情報を取得する。すなわち、コントローラ１１は、フィルタ５２の画像の情報から、ＲＧＢ、ＣＭＹＫ、ＨＳＢに関する色情報を取得する。この際、カラーチャート２０に含まれる色の色情報を基準としてフィルタ５２の色の色補正を行う。これにより、撮影条件が異なった場合であっても、同じ基準で色情報の取得が可能となる。
【００４３】
コントローラ１１は、取得した色情報から前述の判定式（２）を用いてAPC値を算出する（Ｓ１３）。
APC = 0.871 × C - 0.551 × M＋0.463×Y - 0.289×H＋0.175×S
＋ 0.325 × Bright＋0.265 × Luminance - 90.656                  …（２）
【００４４】
コントローラ１１は、算出したAPC値に基づき観測日が黄砂日か汚染日かを判定する（Ｓ１４）。具体的には、コントローラ１１は、APC値が正の場合は黄砂日であると判定し（Ｓ１５）、負の場合は汚染日であると判定する（Ｓ１６）。コントローラ１１は、その判定結果を示す情報を表示部１７に表示する（Ｓ１７）。その際、同時に、黄砂または汚染物質の量を示す情報を表示部１７に併せて表示してもよい。黄砂または汚染物質の量は、APC値の絶対値に比例して求めることができる。
【００４５】
図１３に、表示部１７における判定結果の表示例を示す。図１３では、黄砂日である旨の判定結果２１が表示されており、併せて、飛来した黄砂の量もバー形式２３で表示されている。なお、飛来した黄砂の量の表示（バーの長さ）はAPC値の値に応じて変化させる。使用者は、このような表示を参照することで、容易に黄砂日か汚染日かを認識でき、飛来物質に起因する症状を予防するための適切な対策をとることができる。
【００４６】
なお、本実施形態では、APC値の符号に応じて、黄砂日か汚染日かのいずれかに判定した。前述のように、APC値が０付近となる観測日でも、自覚症状を上昇させるには十分な量の飛来物質が観測されるため、黄砂日または汚染日のいずれかであると判定することは、使用者に、症状の悪化を防止する対策の要否の判断基準を提供することができ、有意義である。
【００４７】
３．まとめ
以上のように、本実施形態の飛来状態判定装置１は、測定日において大気中に飛来する物質を付着させたフィルタ５２の画像情報を取得するインタフェース２５ｂと、取得した画像情報から色情報を抽出し、抽出した色情報に基づき、大気中に含まれる物質の飛来状況を判定するコントローラ１１と、判定結果に基づき飛来状況を示す情報を表示する表示部１７とを備える。この構成により、フィルタ５２の色に基づいて、大気中に含まれる物質の飛来状況を判定できる。例えば、本実施形態では、色情報から所定の判定式（２）に基づき算出したAPC値に基づいて、判定した日が、黄砂に関する成分が他の成分に対して比較的多く飛来していると考えられる黄砂日か否かを判定する。これにより、判定した日が黄砂日であるか汚染日であるかを警告することができる。使用者は、警告を参照して飛来物質に起因する症状を予防するための適切な対策をとることができる。
【００４８】
（実施の形態２）
実施の形態１では、APC値に基づき黄砂日か汚染日かの判定を行った。本実施形態では、黄砂等が飛来しているか否かの判定を行う、飛来状態判定装置の別の例を開示する。なお、黄砂等が「飛来している」とは、飛来物質に起因する症状が発症または悪化することが予想される程度の量の飛来を意味する。
【００４９】
本実施形態の飛来状態判定装置の構成は実施の形態１と同様であり、図１に示すとおりであるので、ここでの詳細な説明は省略する。図１４のフローチャートを参照して、本実施形態の飛来状態判定装置の動作を説明する。
【００５０】
飛来状態判定装置１のコントローラ１１は、まず、撮像装置３１から、カラーチャート２０とフィルタ５２を含む画像の画像情報を取得する（Ｓ２１）。
【００５１】
コントローラ１１は、取得した画像情報の色を分析し、フィルタ５２の画像に含まれる色情報を取得する。すなわち、コントローラ１１は、フィルタ５２の画像の情報から、ＲＧＢ、ＣＭＹＫ、ＨＳＢに関する色情報を取得する。この際、カラーチャート２０に含まれる色の色情報を基準としてフィルタ５２の色の色補正を行う。
【００５２】
コントローラ１１は、取得した色情報から前述の式（１）を用いて輝度（luminance）を算出する（Ｓ２３）。
輝度luminance = ( 0.298912 × R + 0.586611 × G + 0.114478 × B ) ・・・（１）
【００５３】
コントローラ１１は、算出した輝度（luminance）値及びＹ値に基づき観測日での粒子の飛来状況を判定する（Ｓ２４）。具体的には、コントローラ１１は、輝度（luminance）値が第１の所定値（例えば200）以下であり、かつ、Ｙ値が第２の所定値（例えば20）以上であるか否かを判定する（Ｓ２４）。輝度（luminance）値が第１の所定値以下であり、かつ、Ｙ値が第２の所定値以上である場合、黄砂等が飛来していると判定する（Ｓ２５）。そうでない場合（Ｓ２４でＮＯ）、コントローラ１１は、黄砂等が飛来していないと判定する（Ｓ２６）。そして、コントローラ１１は、その判定結果を示す情報を表示部１７に表示する（Ｓ２７）。その際、同時に、飛来物質の量を示す情報を表示部１７に併せて表示してもよい。黄砂または汚染物質の飛来量は輝度（luminance）値の大きさに基づき求めることができる。
【００５４】
図１５に、表示部１７に表示される判定結果の表示例を示す。図１５の例では、飛来した粒子の量もバー形式２３ｂで表示されている。使用者は、このような表示を参照することで、大気中に飛来する黄砂等が多いか否かを容易に認識でき、飛来物質による症状を予防するための適切な対策をとることができる。
【００５５】
本実施形態では、ステップＳ２４において、輝度（luminance）値およびＹ値の双方に基づいて、黄砂等が所定量より多く飛来しているか否かの判定を行ったが、輝度（luminance）値及びＹ値のいずれか一方に基づいて同様の判定を行っても良い。
【００５６】
以上のように、本実施形態では、色情報から所定の判定式（１）に基づき算出した輝度（luminance）値に基づいて、黄砂や汚染物質が飛来しているか否かを判定する。このため、黄砂や汚染物質が飛来しているおそれがある場合に使用者に警告することができる。
【００５７】
（実施の形態３）
本実施形態では、飛来物質の採取と飛来状態の判定とを１つの装置で行うことを可能とする飛来状態判定装置の構成例を説明する。図１７に、本実施形態の飛来判定装置の構成を示す。本実施形態の飛来状態判定装置１ｂは、大気中の飛来物質の状態等を判定する飛来状態判定部１０と、撮像装置３１と、空気流を生成するファン７１と、ファン７１を駆動するファン駆動部７３とを備える。
【００５８】
飛来状態判定部１０は、前述の実施の形態で示した飛来判定装置１と同様の構成を有し、同様の機能を実現する。
【００５９】
飛来状態判定装置１ｂはケース８０内に各構成要素１０、３１、…を収納している。ケース８０には、大気を装置１００内に取り込むための吸気口８１と、取り込んだ大気を装置１００の外に排出するための排出口８３とが設けられている。さらに、飛来状態判定装置１００は、フィルタ５２を保持するための保持部８５を有している。
【００６０】
以上の構成を有する本実施形態の飛来状態判定装置１ｂの動作を以下に説明する。ファン駆動部７３により駆動されたファン７１は、装置１ｂ内に気流を生じさせる。この気流によって、吸気口８１を介して装置１ｂの外部から内部へ大気が取り込まれる。取り込まれた大気は保持部８５に保持されたフィルタ５２を通過し、排出口８３から装置１ｂの外部へ排出される。大気がフィルタ５２を通過することで、フィルタ５２に大気中に含まれる汚染物質等が付着する。
【００６１】
撮像装置３１は光源を備え、光源から照明光をフィルタに照射し、フィルタ５２表面の画像を撮影する。撮像装置３１は、撮影した画像情報を飛来状態判定部１０に送信する。飛来状態判定部１０は、前述の実施の形態で示した判定処理を実施し、判定結果が表示部１７に表示される。
【００６２】
以上のように、本実施形態の飛来状態判定装置１ｂは、吸気口８１から大気をケース８０内に取り込むための空気流を生成するファン７１と、大気に含まれる物質を付着させるフィルタ５２を保持する保持部８５と、フィルタ５２の表面の画像を撮影し、画像情報を生成する撮像装置３１とを備える。この構成によって、実施の形態１では、飛物質の測定（採取）と飛来状態の判定とを別々の装置で行っていたが、本実施形態の飛来状態判定装置１ｂでは、それらの処理を１つの装置で行うことが可能となる。このような飛来状態判定装置の構成を、例えば、空気清浄機や空気調和機など、空気を循環させる機能を有する電気機器に組み込むことができる。この場合、空気清浄機や空気調和機は、飛来状態の判定結果にしたがい、それらの機器の機能（空気清浄機能、温度制御機能等）を制御してもよい。
【００６３】
（他の実施形態）
上記の実施の形態は、本発明を実現するための構成の例示である。本発明の思想は上記の実施の形態に限定されるものではなく、他の実施形態に対しても適用可能である。以下の本発明の思想が適用可能な他の実施形態の例を示す。
【００６４】
（１）実施の形態１、２では、飛来状態判定装置１、１ｂは、外部の撮像装置３１からフィルタ５２の画像情報を取得した。しかし、飛来状態判定装置１、１ｂ自体が撮像手段を備えてもよく、撮像手段により、飛来状態判定装置１内部で、判定のためのフィルタ５２の画像情報を生成しても良い。
（２）実施の形態１では、APC値に基づき黄砂日か汚染日かの二択の判定を行った（Ｓ１３〜Ｓ１６）。しかしながら、黄砂日／汚染日／きれいな日の三択の判定を行うようにしてもよい。
【００６５】
例えば、APC値の絶対値が所定値より小さい範囲内にあるときは、黄砂日及び汚染日のいずれにも該当しない日（きれいな日）であると判定するようにしてもよい。この所定値は、実際の大気の状況と健康被害の発症状況との関係を考慮して決定する。
【００６６】
または、APC値による判定（Ｓ１４）を行う前に、まず輝度luminanceの値に基づき、APC値による判定を行うか否かを決定してもよい。すなわち、飛来物質の濃度が高い日は輝度luminanceが所定値（約200）以下になるという知見（図３参照）に基づき、輝度luminanceを所定値と比較し、その比較結果に基づきAPC値による判定を行うか否かを決定してもよい。例えば、図１６のフローチャートに示すように、輝度luminanceを所定値と比較し（Ｓ１２ｂ）、輝度が所定値より大きいときは、きれいな日であると判定する（Ｓ１５ｂ）。一方、輝度が所定値以下のときは、APC値に基づく黄砂日か汚染日の判定（Ｓ１３〜Ｓ１６）を行うようにしてもよい。
【００６７】
（３）上記の実施の形態では、輝度(Luminance)値, C値、M値、Y値, H値、S値、Bright値の各値を用いてAPC値を算出した。しかし、APC値の算出において、必ずしもそれらのパラメータの全てを用いる必要はない。APC値の算出においては、少なくとも、輝度(Luminance)値、C値、Y値、S値を用いればよい。
【００６８】
（４）上記の実施の形態では、大気中の飛来物質を採取するためのフィルタ５２の材質は紙としたが、これに限定されない。大気中を飛来する物質が付着し、付着した成分に応じて色が変化する材料であれば、紙に限定されず、任意の材質でフィルタを作製することができる。
【００６９】
（５）図１８は、フィルタ５２の変形例を示した図である。図１８（ａ）のフィルタ５２ｂは複数の領域を有する。各領域には、それぞれ固有の元素、ウイルス、物質に反応して発色するように薬剤が塗布されている。例えば、領域５３には、Ｍｎと反応して化学反応を起こし、紫に変色する薬剤が塗布されている。他の領域にも、各領域固有の物質（イオン、重金属等）に反応し、変色する薬剤が塗布されている。このようなフィルタ５２ｂを用いた場合、コントローラ１１が画像解析によって、各領域について、領域毎に定まる所定の色（化学反応により定まる色）を抽出して、その輝度を抽出することで、大気中に含まれる物質の種類、量を測定することができる。
【００７０】
また、図１８（ｂ）に示すように、予めフィルタにカラーチャート２０ｂを印刷しておいてもよい。このようなフィルタ５２ｃを用いることで、撮像装置３１によるフィルタの撮影時においてカラーフィルタを準備する手間が省略でき、使用者の利便性を向上できる。
【００７１】
（６）表示部１７に表示される飛来状況を示す情報は図１３や図１５に示す情報に限定されず、種々の情報が考えられる。例えば、黄砂や汚染物質の量を示す情報や、健康へ与える悪影響の程度を示す情報でもよい。情報の種類やテキストや画像情報いずれでもよい。
【００７２】
また、APC値に対する閾値を複数設け、「黄砂日」または「汚染日」と判定された場合に、表示させるメッセージをAPC値に応じて異ならせるようにしても良い。例えば、「黄砂」または「汚染物質」に対して、「非常に多い」、「やや多い」、「感受性の高い人は要注意」、「普通」、「ほどほど」等のメッセージをAPC値に応じて切り替えて表示させてもよい。
【００７３】
（７）フィルタに付着する物質には、黄砂のみならず、大気中に含まれる種々の物質が含まれる。例えば、汚染物質、ウイルス、花粉、ハウスダスト、微生物等が含まれる。それぞれの物質（黄砂、汚染物質、ウイルス、花粉、ハウスダスト、微生物等）を判定対象とする場合、各物質に応じた色情報の特性を事前に測定して、その特性に基づき、判定に用いる計算式、係数、閾値等を設定しておくことで、大気中に含まれる種々の物質の判定が可能となる。このとき、汚染物質、ウイルス、花粉、ハウスダスト、微生物等の各物質に反応して色が変化する薬剤を塗布したフィルタを用いても良い。
【００７４】
（８）上記の実施の形態において、飛来状態判定装置の機能を実現するためにコントローラ１１が実行する制御プログラム（アプリケーション）は、ネットワークを介したダウンロードにより、又はＣＤ−ＲＯＭ等の記録媒体により、飛来状態判定装置１に提供されることができる。
【００７５】
（９）上記の実施の形態において、飛来状態判定装置は、大気中の飛来物質の状態を判定するための専用の装置として構成することもできるし、例えばパーソナルコンピュータ、タブレット型コンピュータやスマートフォンのような種々の汎用の情報処理装置で構成することもできる。または、飛来状態判定装置の機能を空気清浄機や空気調和機、サーキュレータのような空気を循環させる装置に組み込んでも良い。
【図１】
0005791063.tif 000003
【図２】
0005791063.tif 000004
【図３】
0005791063.tif 000005
【図４】
0005791063.tif 000006
【図５】
0005791063.tif 000007
【図６】
0005791063.tif 000008
【図７】
0005791063.tif 000009
【図８】
0005791063.tif 000010
【図９】
0005791063.tif 000011
【図１０】
0005791063.tif 000012
【図１１】
0005791063.tif 000013
【図１２】
0005791063.tif 000014
【図１３】
0005791063.tif 000015
【図１４】
0005791063.tif 000016
【図１５】
0005791063.tif 000017
【図１６】
0005791063.tif 000018
【図１７】
0005791063.tif 000019
【図１８】
0005791063.tif 000020